(57)【要約】      （修正有）【課題】保管部で物品をピッキングするピッキング作業の回数を少なくすると共に、ピッキング作業の全般において必要となる容器（搬送容器・出荷容器）の数を少なくし、仕分けに必要なスペースを狭めることのできるピッキングシステムを提供する。【解決手段】ピッキングシステム２であって、各保管部でピッキングされた複数のオーダーを集約した種類・数量の物品を収容する搬送容器５と、搬送容器５を搬送するピッキングライン６Ａ・６Ｂ・合流ライン９と、各オーダーで要求された種類・数量の物品に仕分けられた物品を収容する出荷容器７と、出荷容器７を搬送する出荷ライン１０と、搬送容器５に収容される物品を出荷容器７に仕分けする仕分け部８と、搬送容器５より取り出された物品をオーダーの違いに基づいてどの出荷容器７に仕分けるかを指示する表示ランプと、を備える。【選択図】図１
2007153490.tif 000002
【特許請求の範囲】
【請求項１】
物品の種類別に設けられた保管部のそれぞれより物品をピッキングして、出荷先のオーダーで要求される種類・数量の物品を集約して容器に収容するピッキングシステムであって、
前記各保管部でピッキングされた複数のオーダーを集約した種類・数量の物品を収容する搬送容器と、
前記搬送容器を搬送する搬送容器搬送手段と、
前記各オーダーで要求された種類・数量に仕分けられた物品を収容する出荷容器と、
前記出荷容器を搬送する出荷容器搬送手段と、
前記搬送容器に収容される物品を前記出荷容器に仕分けする仕分け部と、
前記搬送容器より取り出された物品を、オーダーの違いに基づいて、どの出荷容器に仕分けるかを指示する指示手段と、
前記搬送容器から全ての物品が取り出されると、前記仕分け部から前記搬送容器および前記出荷容器をそれぞれ移動させるように、前記搬送容器搬送手段及び前記出荷容器搬送手段を制御する制御手段と、
を設けた、
ことを特徴とするピッキングシステム。
【請求項２】
前記仕分け部は、
前記各出荷容器に物品が収容されたことをそれぞれ検出する物品検出手段と、
前記物品検出手段が前記搬送容器から前記出荷容器に仕分けられた物品を検出し、その物品が前記指示手段の指示と反する前記出荷容器であった場合に、収容間違いの発生を警告する警告手段と、
を備えた、
ことを特徴とする請求項１に記載にピッキングシステム。
【請求項３】
前記仕分け部は、
前記搬送容器搬送手段で搬送される前記搬送容器を支持する搬送容器支持手段と、
前記出荷容器搬送手段で搬送される前記出荷容器を支持する出荷容器支持手段と、
を備え、
前記搬送容器支持手段と、前記出荷容器支持手段と、はそれぞれ前記搬送容器及び前記出荷容器を支持した状態で、平面視で部分的に重なるように配置した、
ことを特徴とする、請求項１または請求項２に記載のピッキングシステム。
【発明の詳細な説明】
【技術分野】
【０００１】
物品の種類別に設けられた保管部のそれぞれより物品をピッキングして、出荷先のオーダーで要求される種類・数量の物品を集約して容器に収容するピッキングシステムに関する。
【背景技術】
【０００２】
従来より、物品の種類別に設けられた保管部から物品をピッキングして、出荷先のオーダーで要求される種類・数量の単位で集約して出荷用の容器（出荷容器）に収容するピッキング方式として、オーダーピッキング方式と、トータルピッキング方式と、が知られている。
トータルピッキング方式は、次のような方式である。例えば、その日に出荷する物品を、まず、各種類単位で集計する。そして、物品の種類毎に設けられた搬送容器を、多数の物品が保管されている多数の保管部（種類別の保管庫の群）に沿って移動させ、目的の種類の物品が保管されている保管部に近いステーションに停止させ、例えば作業者が搬送装置が目的の種類の物品を、その種類について集計された個数だけピッキングして搬送容器に収容する。収容が済んだ搬送容器は、仕分け部へ搬送される。一方、仕分け部には、その日に出荷する全出荷先の出荷容器を待機させている。そして、搬送容器内の物品を、仕分け部で、出荷先毎に設けられた出荷容器のそれぞれに仕分けする。全種類の物品に対して同様の処理を行って、出荷先毎に、種類別に物品を出荷容器に仕分けしていく。そして、全種類の物品について、仕分けが終了した段階で、各出荷容器には、その出荷先毎にオーダーされた種類・数量の物品が揃った状態となる。このようにして出荷容器に物品が揃った時点で、出荷が行われる。
一方、オーダーピッキング方式は、出荷先毎に設けられている搬送容器を、多数の物品が保管されている多数の保管部（種類別の保管庫の群）に沿って移動させ、目的の種類の物品が保管されている保管部に近いステーションに停止させ、例えば作業者や搬送装置が目的の種類の物品をオーダーの数だけピッキングして搬送容器に収容する。そして、オーダーにある次の物品が収容されている保管部に近いステーションに搬送容器を停止させ、ピッキングする。これを繰り返して順にピッキングしていき、オーダーで要求される種類・数量の物品の全てのピッキングが済むと、この搬送容器を出荷容器として、出荷する方式である（特許文献１）。
なお、出荷時には、出荷容器自体を出荷する場合もあるが、出荷容器内の物品を梱包した状態で出荷することもある。
【０００３】
トータルピッキングは、一度に同じ物品をピッキングするため、多数の物品を少ない出荷先にピッキングする際に、必要な搬送容器の数と、出荷容器（仕分け部）と保管部との間で搬送容器を往復させる回数が少ない点で、優れている。
また、オーダーピッキングは、出荷先が多い場合は、ピッキングが完了すると、搬送容器を出荷容器にしてそのまま出荷できるため、仕分け部および仕分け作業が不要な点で、優れている。
【０００４】
【特許文献１】特開平１１−２２７９０９号公報
【発明の開示】
【発明が解決しようとする課題】
【０００５】
しかしながら、トータルピッキングは、オーダーが完了するまで、一度のトータルピッキングで対象とする全出荷先の出荷容器を仕分け部に待機させておく必要があり、出荷先が多いと、その仕分け部のスペースを広く設けておくことが必要で、仕分け作業も大変であるという問題があった。
一方、オーダーピッキングは、保管部で物品をピッキングするピッキング作業の回数が多く、このピッキング作業の度に、保管部とステーションとの間で作業者や搬送装置を往復させてピッキングの効率が良くない上、全オーダーと同じ数の搬送容器を搬送させるため、搬送容器の搬送量が多くなる。このため、搬送設備の能力やピッキング作業の能力が高く要求されるという問題があった。
このように、トータルピッキングおよびオーダーピッキングのどちらにも、長所短所があり、出荷先の数や扱い量により、どちらかのピッキング方式が選択されていた。
【０００６】
つまり、解決しようとする問題点は、保管部で物品をピッキングするピッキング作業の回数を少なくすると共に、ピッキング作業の全般において必要となる容器（搬送容器・出荷容器）の数を少なくし、仕分けに必要なスペースを狭めることのできるピッキングシステムを提供することである。
【課題を解決するための手段】
【０００７】
本発明の解決しようとする課題は以上の如くであり、次にこの課題を解決するための手段を説明する。
【０００８】
請求項１に係るピッキングシステムは、
物品の種類別に設けられた保管部のそれぞれより物品をピッキングして、出荷先のオーダーで要求される種類・数量の物品を集約して容器に収容するピッキングシステムであって、
前記各保管部でピッキングされた複数のオーダーを集約した種類・数量の物品を収容する搬送容器と、
前記搬送容器を搬送する搬送容器搬送手段と、
前記各オーダーで要求された種類・数量に仕分けられた物品を収容する出荷容器と、
前記出荷容器を搬送する出荷容器搬送手段と、
前記搬送容器に収容される物品を前記出荷容器に仕分けする仕分け部と、
前記搬送容器より取り出された物品を、オーダーの違いに基づいて、どの出荷容器に仕分けるかを指示する指示手段と、
前記搬送容器から全ての物品が取り出されると、前記仕分け部から前記搬送容器および前記出荷容器をそれぞれ移動させるように、前記搬送容器搬送手段及び前記出荷容器搬送手段を制御する制御手段と、
を設けた、ものである。
【０００９】
搬送容器搬送手段や出荷容器搬送手段は、搬送容器や出荷容器と一体であるか別体であるかを問わない。別体の搬送手段としては、例えば、コンベア等の搬送装置がある。一体の搬送手段としては、搬送容器に設ける自走装置がある。
指示手段は、搬送容器に収容される各物品がどのオーダーで要求されるものであるか、を作業者に認識させる手段であれば、その構成を問わない。物品にバーコード等を利用してＩＤを付与し、そのＩＤの検出結果に基づいて、画像表示出力や音声出力によって、作業者に認識させる手段であっても良い。あるいは、物品そのものに、作業者が視覚的にオーダーの相違を認識できるマーキングを添付する手段であっても良い。
【００１０】
以上構成により、次の作用がある。
搬送装置で単位時間あたりに搬送可能な搬送容器の数よりも、多くのオーダーが、この単位時間あたりに処理される。
【００１１】
請求項２に係るピッキングシステムは、請求項１において、次の構成としたものである。
前記仕分け部は、
前記各出荷容器に物品が収容されたことをそれぞれ検出する物品検出手段と、
前記物品検出手段が前記搬送容器から前記出荷容器に仕分けられた物品を検出し、その物品が前記指示手段の指示と反する前記出荷容器であった場合に、収容間違いの発生を警告する警告手段と、を備えたものである。
【００１２】
請求項３に係るピッキングシステムは、請求項１または請求項２において、次の構成としたものである。
前記仕分け部は、
前記搬送容器搬送手段で搬送される前記搬送容器を支持する搬送容器支持手段と、
前記出荷容器搬送手段で搬送される前記出荷容器を支持する出荷容器支持手段と、
を備え、
前記搬送容器支持手段と、前記出荷容器支持手段と、はそれぞれ前記搬送容器及び前記出荷容器を支持した状態で、平面視で部分的に重なるように配置した、ものである。
【発明の効果】
【００１３】
本発明の効果として、以下に示すような効果を奏する。
【００１４】
請求項１においては、
複数のオーダーを集約して搬送容器に収容するため、保管部で物品をピッキングするピッキング作業の回数が、オーダーで要求される物品の種類毎にピッキング作業する場合と比べて、減らすことができ、搬送設備の能力やピッキング作業の能力が高く要求されないで済む。
また、出荷容器をトータルピッキングのように多数同時に待機させておく必要がないので、仕分け部を省スペースにすることができる。さらに、搬送容器から全ての物品が取り出されると、搬送容器と出荷容器とをそれぞれ搬送するため、オーダー毎に出荷容器とその収納スペースとを設ける場合に比し、仕分け部を省スペースにすることができる。
【００１５】
請求項２においては、請求項１の効果に加えて、
収納間違いの発生時点で、収納間違いの発生を、作業者に警告することができる。
【００１６】
請求項３においては、請求項１または請求項２の効果に加えて、
搬送容器と出荷容器とが上下に部分的に重なる状態で支持されるので、作業者が搬送容器から出荷容器へ物品を移動させるのに要する距離を、短くすることができる。
【発明を実施するための最良の形態】
【００１７】
本発明の一実施の形態を、図面を用いて説明する。
【００１８】
図１を用いて、物流拠点１と、この物流拠点１に備えるピッキングシステム２とを、説明する。
物流拠点１は、物流センター等の物品４（図２から図５に図示）の集積拠点のことである。この物流拠点１には、物品４の種類別に設けられた保管部の群と、これらの保管部の群より物品４をピッキングするピッキングシステム２と、が備えられている。
【００１９】
保管部には、物品４の保管手段と、この保管手段から物品４をピッキングするためのピッキング手段と、が備えられている。保管手段は、例えば、保管部内に配置される棚であって、この棚に物品４が収容される。また、ピッキング手段は、自動式とする場合は、棚から物品４を取り出すスタッカークレーンのような移載装置が該当し、手動式とする場合は、作業者自体、が該当する。
【００２０】
保管部は、物品の種類別およびラインの系統別に、物流拠点１内に複数設けられている。
これら保管部の群は、後述するピッキングライン６Ａ・６Ｂの違いより、２系統に分類されると共に、各系統において、物品４の種類別にも分類される。
まず、系統別では、Ａ系統の保管部３Ａ１・３Ａ２・・・３Ａ１４と、Ｂ系統の保管部３Ｂ１・３Ｂ２・・・３Ｂ１４と、がある。同一の系統において、異なる保管部には、異なる種類の物品４が保管されている。また、異なる系統同士で、符号の末尾が同一の保管部（保管部３Ａ１１と保管部３Ｂ１１など）には、同一の種類の物品４が保管されている。
【００２１】
物流拠点１には、外部の入荷元より物品４が搬入されて、それらの物品４が保管部に保管される。また、外部の出荷先よりオーダーがあると、そのオーダーで要求される物品４が集められて、その集められた物品４群が、この物流拠点１より出荷先に向けて搬出される。搬出は、配送用のトラック等により行われる。
【００２２】
なお、本実施例では、Ａ系統とＢ系統との二系統で、ピッキングできるように、ピッキングライン６Ａ・６Ｂと、各ライン専用の保管部３Ａ１・・・３Ａ１４および保管部３Ｂ１・・・３Ｂ１４とを設け、保管部３Ａ１・３Ｂ１など対応する順番の保管部同士には、同じ種類の物品を保管するようにしている。
この構成に代えて、保管部３Ａ１と保管部３Ｂ１４、保管部３Ａ２と保管部３Ｂ１３など、ラインは異なるが隣接する保管部同士に、同じ種類の物品を保管しておくようにしても良い。この場合、保管部３Ａ１から保管部３Ｂ１４に物品を受け渡すなど、柔軟なピッキングが可能となる。
【００２３】
ピッキングライン６Ａ・６Ｂに沿って、各保管部に対応する位置に、搬送容器５の停止位置となるステーション１４が設けられている。
このステーション１４に搬送容器５が停止した状態で、保管部に収容される物品４がピッキングされて、搬送容器５に収容される。
【００２４】
出荷先のオーダーは、要求する物品４の種類・数量の組み合わせとして構成される。
このオーダーに応じて、保管部３Ａ１に保管される物品４を２個、保管部３Ａ３に保管される物品４を５個、保管部３Ａ１２に保管される物品４を３個、等、ピッキング作業により集める作業が必要となる。
このピッキングを担当する手段が、ピッキングシステム２である。
【００２５】
ピッキングシステム２は、各保管部でピッキングされた物品４が投入される搬送容器５と、この搬送容器５を搬送するピッキングライン６Ａ・６Ｂおよび合流ライン９と、オーダーごとに設けられる出荷容器７と、搬送容器５内の物品４を出荷容器７に仕分ける仕分け部８・８・・・と、出荷容器７を搬送する出荷ライン１０と、ピッキング計画を管理するホストコンピュータ１３と、を備えている。
また、出荷ライン１０の下流側には、出荷容器７を配送用のトラックに移載する移載部１１が設けられている。
【００２６】
ピッキングライン６Ａ・６Ｂは、互いに独立したラインとして構成されている。
ピッキングライン６Ａは、Ａ系統の保管部３Ａ１・３Ａ２・・・の全体を経由するように、搬送容器５を搬送する搬送手段である。同様に、ピッキングライン６Ｂは、Ｂ系統の保管部３Ｂ１・３Ｂ２・・・の全体を経由するように、搬送容器５を搬送する搬送手段である。
また、ピッキングライン６Ａ・６Ｂの終端部は共に、合流ライン９の始端部に接続されている。また、ピッキングライン６Ａ・６Ｂの始端部は共に、合流ライン９の終端部に接続されている。
【００２７】
つまり、ピッキングライン６Ａ・６Ｂおよび合流ライン９は、搬送容器５を搬送する搬送容器搬送手段である。特に、ピッキングライン６Ａ・６Ｂは、ピッキング作業を伴う領域で、搬送容器５を搬送する搬送容器搬送手段である。また、仕分け部８に設けられている搬送側仕分けライン２５（後述）も、搬送容器搬送手段の一つである。
なお、本実施の形態では、ピッキングライン６Ａ・６Ｂおよび出荷ライン９は、コンベアシステムである。
【００２８】
出荷ライン１０は、出荷容器７を搬送する搬送容器搬送手段である。本実施の形態では、出荷ライン１０は、コンベアシステムである。また、仕分け部８に設けられている出荷側仕分けライン２７（後述）も、出荷容器搬送手段の一つである。
【００２９】
仕分け部８は、合流ライン９の一部と、出荷ライン１０の一部とが、略重複する領域に、複数配置されている。この略重複する領域では、合流ライン９と出荷ライン１０とが並列かつ近い位置に配置されている。
各仕分け部８には、合流ライン９上を搬送される搬送容器５が供給されると共に、出荷ライン１０上を搬送される出荷容器７が供給される。そして、この仕分け部８において、合流ライン９より供給される搬送容器５内の物品４が、出荷ライン１０より供給される出荷容器７・７へと、仕分けられる。
【００３０】
ホストコンピュータ１３は、予め設定されたピッキング計画に基づいて、搬送容器５や出荷容器７の搬送を制御する。
ここで、ピッキング計画とは、保管部の全体より物品４をピッキングして、各オーダーで必要とされる種類・数量の物品４を出荷容器７に収容させて、移載部１１に送り出すまでの、ピッキング作業全体の指令内容を意味する。このピッキング計画において、一つの搬送容器５に割り付ける複数のオーダーが設定されており、この搬送容器５に、これら複数のオーダーで要求される種類・数量の物品４を集約できるように、ピッキング対象の物品４のある保管部の特定や、ピッキング対象の物品４のある保管部でピッキングすべき物品４の数量の設定が、行われている。
なお、優先度の高いオーダーがある場合は、通常は複数のオーダーが割り付けられる搬送容器５に、その優先度の高いオーダー一つのみを割り付けるものとする。以下では、基本的に、複数のオーダーを搬送容器５に割り付ける場合について説明する。
【００３１】
ホストコンピュータ１３は、物品４の収容された搬送容器５の一つに、複数の出荷容器７を手配する。具体的には、物品４の収容された搬送容器５は、合流ライン９より複数ある仕分け部８のいずれか一つに搬送されるが、この同じ仕分け部８に、出荷ライン１０より複数の出荷容器７が搬送される。
ここで、搬送容器５に収容されている物品４は、複数のオーダーで要求される種類・数量の物品４である。これに対して、出荷容器７に収容する物品４は、一つのオーダーで要求される種類・数量の物品４である。仕分け部８において、一つの搬送容器５に対して用意される出荷容器７の個数は、この搬送容器５が担当しているオーダーの数、と同じである。
物品４の仕分けが終了すると、ホストコンピュータ１３は、一つのオーダーで要求される種類・数量の物品４が収容された出荷容器７を、移載部１１へと送り出す。
【００３２】
ホストコンピュータ１３は、各搬送容器５や各出荷容器７の管理を、これらの容器に付されたバーコード等のＩＤに基づいて、行う。保管部や仕分け部８等、搬送容器５や出荷容器７の停止位置には、容器５・７に付されたＩＤを読み取るＩＤリーダーが配置されている。ホストコンピュータ１３は、これらのＩＤリーダーからの読取り情報に基づいて、各停止位置に停止している搬送容器５や出荷容器７を特定する。そして、その停止位置に配置されている端末装置に、搬送容器５や出荷容器７に割り当てられている作業内容を、送信する。
具体的には、例えば、搬送容器５が保管部に、単なる通過ではなく、ピッキングした物品４を収容させるために移動してきた場合、その保管部の端末装置に、その保管部でピッキングすべき物品４の数量を、送信する。その数量は、その端末装置に接続される表示モニタに表示され、その表示内容に基づいて、作業者が棚から物品４をピッキングして、その搬送容器５に投入する。
【００３３】
ピッキング方法（ピッキング作業の流れ）は、大まかには、次のようなものである。
このピッキング方法は、物品の種類別に設けられた保管部のそれぞれより物品をピッキングして、出荷先のオーダーで要求される種類・数量の物品を集める方法であり、ピッキング工程と、分配工程と、を備えている。
ピッキング工程では、ピッキング対象とする各保管部を一巡するように変更しながら、各保管部より物品４をピッキングして、複数のオーダーを集約した種類・数量の物品４を集める作業が行われる。
分配工程では、ピッキング工程で集められた複数のオーダーを集約した種類・数量の物品４を、各オーダーで要求される種類・数量の物品４に分配する作業が行われる。
【００３４】
ピッキング作業の流れは、より詳しくは、次のようなものとなる。
まず、空の搬送容器５が、合流ライン９の下流側より、ピッキングライン６Ａ・６Ｂのそれぞれへと、供給される。この搬送容器５には、複数のオーダーを集約した種類・数量の物品４が、同時に投入される。
ピッキングライン６Ａに供給された搬送容器５は、ピッキングライン６Ａに沿って、Ａ系統の保管部３Ａ１・・・を経由するように搬送される。この搬送中に、保管部３Ａ１・・・でピッキングされた物品４が、搬送容器５に投入される。より詳しくは、保管部を次々と、一巡するように、搬送容器５が搬送されながら、ピッキングすべき種類の物品４がある保管部のステーション１４では搬送容器５が停止させられて、この保管部からピッキングされた物品４が、この搬送容器５に収容される。
ここで、ピッキングされて搬送容器５に投入される物品４は、複数のオーダーの全体で要求される種類の物品４であり、オーダーにない物品４は投入されない。また、オーダーで要求される種類の物品４が、要求される数量だけピッキングされて、搬送容器５に投入される。そして、この搬送容器５がＡ系統の保管部３Ａ１・・・の全体を通過した際には、この搬送容器５内に、複数のオーダーを集約した種類・数量の物品４が収容された状態となる。
【００３５】
ピッキングライン６Ｂに供給された搬送容器５についても、ピッキングライン６Ｂに沿って、Ｂ系統の保管部３Ｂ１・・・を経由するように搬送される。そして、この搬送容器５がＢ系統の保管部３Ｂ１・・・の全体を通過した際には、この搬送容器５内に、複数のオーダーで要求された種類・数量の物品４が収容された状態となる。
【００３６】
次いで、搬送容器５は、ピッキングライン６Ａ・６Ｂから合流ライン９へと搬送され、複数あるうちのいずれかの仕分け部８へと供給される。この仕分け部８には、搬送容器５の他に、この搬送容器５に対応して、複数の空の出荷容器７が供給される。そして、搬送容器５に収容されている物品４が、各出荷容器７へと仕分けられる。つまり、搬送容器５に収容されている複数のオーダーで要求される物品４群を、各オーダーで要求される物品４群に分配して、各出荷容器７へと投入する作業が、この仕分け部８で行われる。
【００３７】
なお、本実施の形態では、搬送容器５は、６０リットルの容積を有する折畳式の容器であり、出荷容器７は、４０リットルの容積を有する折畳式の容器である。対応するオーダーの数の違い上、当然ながら、搬送容器５の容量の方が、出荷容器７の容量よりも大きく設定されている。
【００３８】
出荷容器７は、オーダーで要求される種類・数量の物品４が収容されると、出荷ライン１０に沿って搬送され、移載部１１へと送られる。移載部１１において、出荷容器７は、出荷ライン１０より取り出されて、配送用のトラックに移載される。そして、出荷先へと、出荷容器７が搬出される。
【００３９】
一方、仕分け部８において物品４が移し替えられて、空となった搬送容器５は、再び合流ライン９へと戻される。空の搬送容器５は、合流ライン９を搬送されて、ピッキングライン６Ａ・６Ｂの始端部へと送られる。
なお、合流ライン９の終端部（仕分け部８群よりも下流側）には、搬送容器保管部１２が設けられている。新規のオーダー数が少なくて、ピッキングライン６Ａ・６Ｂに供給する必要のない搬送容器５は、この搬送容器保管部１２に保管される。
【００４０】
次に、図２から図５を用いて、仕分け部８の構成を説明する。
図２、図３に示すように、仕分け部８は、合流ライン９および出荷ライン１０が並列に配置されている領域に配置されている。
仕分け部８には、合流ライン９や出荷ライン１０との間で搬送容器５や出荷容器７の搬入・搬出に係る装置と、搬送容器５内の物品４を出荷容器７に仕分ける作業に係る装置と、が備えられている。
【００４１】
仕分け部８に備える装置において、搬送容器５や出荷容器７の搬入・搬出に係る装置は、合流ライン９に接続される搬送側仕分けライン２５と、出荷ライン１０に接続される出荷側仕分けライン２７と、合流ライン９用の容器ＩＤリーダー３５と、出荷ライン１０用の容器ＩＤリーダー３７と、端末装置２０と、ラベル供給装置３１と、である。
【００４２】
図２に示すように、相対的に見て、合流ライン９および搬送側仕分けライン２５は上段側に配置され、出荷ライン１０および出荷側仕分けライン２７は下段側に配置されている。
【００４３】
図３、図４に示すように、搬送側仕分けライン２５は、出荷用の物品４が収容された搬送容器５を合流ライン９より仕分け部８に取り込み、物品４の仕分け作業の後、空となった搬送容器５を合流ライン９に送り返すためのラインである。
この搬送側仕分けライン２５は、コ字状に三つのコンベア、搬入コンベア２５ａ、待機コンベア２５ｂ、搬出コンベア２５ｃ、を組み合わせて構成されている。待機コンベア２５ｂは合流ライン９と平行に配置され、待機コンベア２５ｂと合流ライン９とを橋架するように、他のコンベア２５ａ・２５ｃが配置される。
【００４４】
待機コンベア２５ｂは、搬送容器５の搬送装置であるが、搬送容器５内の物品４を出荷容器７に仕分ける際に、搬送容器５を停止させる位置（停止位置Ｐ５）を備えている。この待機コンベア２５ｂは、搬送側仕分けライン２５において、合流ライン９より最も外側に張り出した位置にある。搬入コンベア２５ａは、合流ライン９上の物品４を収容した搬送容器５を、待機コンベア２５ｂ上に供給する搬送装置である。また、搬出コンベア２５ｃは、物品４の仕分けが終わって空となった搬送容器５を、合流ライン９上へ再び戻す搬送装置である。
【００４５】
図３、図５に示すように、出荷側仕分けライン２７は、空の出荷容器７を出荷ライン１０より仕分け部８に取り込み、物品４の仕分け作業の後、出荷用の物品４が収容された搬送容器５を出荷ライン１０に送り返すためのラインである。
この出荷側仕分けライン２７は、Ｅ字状に四つのコンベア、搬入コンベア２７ａ、待機コンベア２７ｂ、第一搬出コンベア２７ｃ、第二搬出コンベア２７ｄ、を組み合わせて構成されている。待機コンベア２７ｂは出荷ライン１０と平行に配置され、待機コンベア２７ｂと出荷ライン１０とを橋架するように、他のコンベア２７ａ・２７ｃ・２７ｄが配置される。
【００４６】
待機コンベア２７ｂは、出荷容器７の搬送装置であるが、搬送容器５内の物品４を出荷容器７に仕分ける際に、出荷容器７を停止させる位置（停止位置Ｐ７）を備えている。この待機コンベア２７ｂは、出荷側仕分けライン２７において、出荷ライン１０より最も外側に張り出した位置にある。搬入コンベア２７ａは、出荷ライン１０上の空の出荷容器７を、待機コンベア２７ｂ上に供給する搬送装置である。また、搬出コンベア２７ｃは、物品４の仕分けが終わって物品４で満たされた出荷容器７を、出荷ライン１０上へ再び戻す搬送装置である。
【００４７】
仕分け部８に配置される端末装置２０は、前述した、搬送容器５や出荷容器７の停止位置Ｐ５・Ｐ７に対応して配置される端末装置の一つである。
この端末装置２０は、容器ＩＤリーダー３５による搬送容器５のＩＤ読取り情報に基づいて、その搬送容器５を特定する。また、端末装置２０は、特定された搬送容器５のＩＤを、ホストコンピュータ１３に記憶されるピッキング計画の内容に照会して、そのデータを取り込み、その搬送容器５に割り当てられているオーダー全体の内容を認識する。このとき、その搬送容器５が、物品４の収容された状態にあるのか、空荷であるのか、が端末装置２０で特定される。そして、端末装置２０は、空荷の搬送容器５については合流ライン９をそのまま搬送させ、物品４の収容された搬送容器５については仕分け部８へと搬入させる。仕分け部８への搬入は、より詳しくは、端末装置２０が、合流ライン９及び、その仕分け部８の搬入コンベア２５ａを制御して、その仕分け部８の待機コンベア２５ｂへと搬送することで、行われる。なお、本実施例では、仕分け部８に係る合流ライン９や搬送側仕分けライン２５等は、端末装置２０が制御するが、コンベアを制御する制御手段が、制御するようにしてもよい。
また、この端末装置２０は、容器ＩＤリーダー３７による出荷容器７のＩＤ読取り情報に基づいて、その出荷容器７を特定する。なお、空の出荷容器７にはバーコード等のＩＤは付されておらず、仕分け部８に出荷容器７が搬入された段階で、ＩＤが付されるものとなっている。このＩＤの添付は、ラベル供給装置３１より供給されるラベルを、作業者３０が出荷容器７に貼り付けることで行われる。
【００４８】
各仕分け部８に備える装置において、搬送容器５内の物品４を出荷容器７に仕分ける作業に係る装置は、次の装置である。
各物品４のＩＤを検出するＩＤリーダー２１と、各物品４の仕分け先となる出荷容器７を指示する表示ランプ２２・２２と、収納間違いの発生を検出する監視センサー２３・２３と、収納間違いの発生を警告する警告ブザー２４と、端末装置２０と、表示モニタ２９と、である。
ここで、表示ランプ２２および監視センサー２３は、物品４の仕分け先となる出荷容器７の数（本実施形態では二個）と同数だけ設けられている。
また、端末装置２０は、搬送容器５や出荷容器７の管理を担当する制御装置として機能するだけではなく、仕分け対象となる物品４の管理を担当する制御装置としても機能する。
【００４９】
各仕分け部８には、作業者３０が配置されており、この作業者３０が、搬送容器５内の物品４を出荷容器７に仕分ける作業を行う。
【００５０】
図３から図５には、二つの仕分け部８が図示されているが、左側の仕分け部８では、これまで述べてきたような仕分け作業、つまり一つの搬送容器５内の物品４を二つの出荷容器７に仕分ける作業が行われている。これに対して、右側の仕分け部８では、一つの搬送容器５内の物品４を、単に、一つの出荷容器７に移し替える作業が行われている。ピッキング作業の優先度が高いオーダーについては、仕分け部８での作業時間が短縮されるように、仕分け作業をすることなく、単なる移し替え作業で、出荷容器７にオーダーで要求される物品４群を収容させるようにしている。
以下では、図３から図５の左側の仕分け部８で行われる仕分け作業について説明する。
【００５１】
図２、図３に示すように、仕分け部８には、物品４の取出し元たる待機コンベア２５ｂと、物品４の仕分け先たる待機コンベア２７ｂと、が配置されている。
待機コンベア２５ｂは、合流ライン９（搬送容器搬送手段）で搬送される搬送容器５を支持する搬送容器支持手段である。また、待機コンベア２７ｂは、出荷ライン１０（出荷容器搬送手段）で搬送される出荷容器７を支持する出荷容器搬送手段である。
物品４は、待機コンベア２５ｂに支持されている搬送容器５より、待機コンベア２７ｂに支持されている出荷容器７・７へと、仕分けされる。
【００５２】
図２に示すように、仕分け部８に備える容器支持手段（コンベア２５ｂ・２７ｂ）のレイアウトは、作業者３０の作業性を考慮して、次のように構成されている。
待機コンベア２５ｂは、この待機コンベア２５ｂに停止する搬送容器５の開口位置（上面）が、平均的身長の作業者３０の胸付近の高さ位置となるように、配置されている。また、搬送容器５内の物品４が作業者３０に取り易くなるように、前傾（作業者３０側に傾斜）可能に構成されている。
待機コンベア２７ｂは、この待機コンベア２７ｂに停止する出荷容器７の開口位置（上面）が、平均的身長の作業者３０の腰より下方位置となるように、配置されている。
また、平面視では、待機コンベア２５ｂ（物品４の取出し元）と、待機コンベア２７ｂ（物品４の仕分け先）とが、部分的に重なる位置関係にあって、待機コンベア２５ｂより待機コンベア２７ｂの方が、合流ライン９・出荷ライン１０よりも若干外側に張り出した位置にある。
【００５３】
このように、搬送容器５と出荷容器７とが上下に部分的に重なる状態で支持されるので、搬送容器５から出荷容器７へ物品４を移動させるのに要する距離を、短くすることができる。また、作業者３０が、搬送容器５の開口位置と、出荷容器７の開口とを、同時に見ることが出来るようになっている。この結果、作業者３０の仕分け作業における負担を軽減することができる。
物品４の仕分け作業は、大まかには、作業者３０が、搬送容器５の開口内に手を入れて物品４を掴み、その物品４を出荷容器７の開口内へと投入するものである。
【００５４】
ＩＤリーダー２１は、待機コンベア２５ｂの先端（反合流ライン９側端）に配置されている。作業者３０は、搬送容器５より掴み取った物品４を、出荷容器７に投入するのに先立って、このＩＤリーダー２１の正面位置に物品４を移動させ、このＩＤリーダー２１に、物品４に添付されたＩＤを読み取らせる。ここで、各物品４には、バーコード等のＩＤが付されている。
【００５５】
端末装置２０は、物品４のＩＤ検出に基づいて、各物品４の仕分け先となる出荷容器７を特定する手段である。本実施形態では、二つのオーダーに対応する一つの搬送容器５に対して、一つのオーダーに対応する二つの出荷容器７が、仕分け部８に手配（搬送）される。つまり、搬送容器５から取り出された物品４が、二つの出荷容器７のうち、どちらの出荷容器７に投入すべきものであるかが、端末装置２０により特定される。
ここで、端末装置２０は、ホストコンピュータ１３に照会することで、仕分け部８に停止している搬送容器５に割り当てられている複数のオーダーの内容を、認識する。そして、端末装置２０は、搬送容器５より取り出される各物品が、二つのオーダーのどちらのオーダーで要求される物品４であるかを特定する。また、二つの出荷容器７が仕分け部８に搬送されて容器ＩＤリーダー３７にＩＤを読み取られた段階で、各出荷容器７には一つのオーダーが、ホストコンピュータ１３により割り当てられる。そして、端末装置２０は、各物品４の仕分け先を、その物品を要求するオーダーが割り当てられた出荷容器７に、特定する。
【００５６】
表示ランプ２２は、ＩＤリーダー２１によるＩＤ読み取りと、端末装置２０による仕分け先とする出荷容器７の特定と、に基づいて、仕分け先とする出荷容器７を、作業者３０に指示する指示手段である。
表示ランプ２２は、待機コンベア２５ｂの先端（反合流ライン９側端）に、二箇所配置されている。ここで、待機コンベア２７ｂ上には、出荷容器７が二個同時に停止されられるものであり、各出荷容器７の停止位置Ｐ７に対応して、各出荷容器７の上方位置に、各表示ランプ２２が設けられている。
【００５７】
そして、搬送容器５から取り出された物品４のＩＤが、ＩＤリーダー２１で読み取られて、端末装置２０が仕分け先の出荷容器７を特定すると、端末装置２０は、特定された出荷容器７に対応する表示ランプ２２を消灯状態から点灯状態に移行する。あるいは、表示ランプ２２の表示色を（緑から赤など）変更させる。このとき、残りの表示ランプ２２（指示されていない出荷容器７に対応する表示ランプ２２）については、その表示状態は変更されない。
このため、作業者３０は、表示ランプ２２の表示を見て、仕分け先とする出荷容器７を特定することができる。そして、作業者３０は、指示された仕分け先の出荷容器７へ、ＩＤリーダー２１にＩＤを読み取らせている物品４を、投入する。
【００５８】
なお、仕分け先とする出荷容器７を作業者３０に指示する指示手段の構成としては、ＩＤリーダー２１と端末装置２０との協動に基づいて作動する表示ランプ２２に限定されない。例えば、前記収容部３においてピッキングした物品４を搬送容器５に収容する際に、各物品４にオーダーに応じたマーキング付ラベルを貼り付けるようにして、そのマーキングの違いで、作業者３０に指定の出荷容器７を特定させるようにしてもよい。
【００５９】
監視センサー２３は、出荷容器７に物品４が投入されたか否かを検出する検出手段である。
監視センサー２３は、待機コンベア２５ｂの先端（反合流ライン９側端）に、二箇所配置されている。この監視センサー２３も、表示ランプ２２と同様に、待機コンベア２７ｂ上における各出荷容器７の停止位置Ｐ７に対応して、各出荷容器７の上方位置に、それぞれ設けられている。
【００６０】
この監視センサー２３は、より詳しくは、出荷容器７の開口の上方位置で、この開口を覆う面領域を監視し、この面領域を物品４が通過したか否かを検出するように構成されている。出荷容器７に向けて物品４が投入されると、この物品４が、この出荷容器７の開口に対応する前記面領域を通過して、この監視センサー２３に検出される。
【００６１】
前記端末装置２０は、各出荷容器７・７に物品４が収容されたことをそれぞれ検出する物品検出手段でもある。
この端末装置２０は、二つの監視センサー２３・２３からの検出情報を元に、搬送容器５から取り出された物品４が、どの出荷容器７に収容されたのかを検出する。また、端末装置２０は、前述したように、物品４のＩＤ検出に基づいて、各物品４の仕分け先となる出荷容器７を特定する。この特定に応じて、仕分け先とする出荷容器７を指示すべく、表示ランプ２２の表示状態が変更される。
そして、端末装置２０は、監視センサー２３・２３からの検出情報と、仕分け先となる出荷容器７を特定結果とを元に、物品４が正しい出荷容器７（仕分け先として指示された出荷容器７）に投入されたか否かを、判断することが可能である。
【００６２】
前記警告ブザー２４は、物品検出手段である端末装置２０が各出荷容器７に収容されたことを検出した物品４について、その物品４が表示ランプ２２の指示に反した出荷容器７に投入された場合に、収納間違いの発生を警告する警告手段である。
前述したように、端末装置２０は、物品４の投入された出荷容器７が、その物品４の仕分け先とすべき出荷容器７であるか否かを、判断する。ここで、物品４が指示通りの正しい出荷容器７に収容された場合は、問題はない。一方、物品４が指示に反する出荷容器７に収容された場合は、オーダーに対応しない物品４が、その出荷容器７に収容されたことになる。そこで、物品４が指示に反する出荷容器７に収容された場合には、端末装置２０は、警告ブザー２４に指令して、警告音を音声出力させる。そして、この音声出力により、作業者３０に、収納間違いが発生した時点で、収納間違いが発生したことを認識させるように、警告する。
【００６３】
また、警告手段としては、前記警告ブザー２４だけでなく、各出荷容器７に対応して設けられている表示ランプ２２・２２をも利用するものとしてもよい。具体的には、物品４が指示に反する出荷容器７に収容された場合には、その指示に反する出荷容器７に対応する表示ランプ２２を点滅表示させるなどして、作業者３０に、収納間違いの発生を認識させるものである。
【００６４】
出荷容器７に仕分ける際に物品４を検品する検品手段について説明する。
ここで、検品とは、次の内容を確認する作業をいう。本実施の形態では、この確認内容は二種類ある。第一種の確認内容は、仕分けによって出荷容器７に収容される物品４がオーダーで要求される種類の物品であるか否か、である。第二種には、出荷容器７に収容された物品４の全体が、オーダーで要求される種類・数量を満たすか否か、である。
この検品を行う手段は、ＩＤリーダー２１の検出情報と、ホストコンピュータ１３に記憶されるオーダーの内容と、に基づいて作動する端末装置２０である。
【００６５】
第一種の検品（確認作業）は、搬送容器５から取り出した物品４を出荷容器７に仕分ける際、つまりＩＤリーダー２１に物品４のＩＤが読み取られて、表示ランプ２２が出荷容器７を指示した際に、行われる。
このとき、端末装置２０は、ＩＤリーダー２１による物品４のＩＤ検出と、ホストコンピュータ１３に照会して得るオーダーの内容と、に基づいて、出荷容器７に収容される物品４が、オーダーで要求される種類の物品であることを検出する。
【００６６】
第二種の検品（確認作業）は、搬送容器５から出荷容器７への物品４の仕分けが終了した段階で行われる。
端末装置２０は、物品４の仕分け作業の際に、各出荷容器７内に収容された物品の種類・数量を計測している。物品の種類・数量の一カウントは、物品４のＩＤがＩＤリーダー２１で検出され、その物品４が正しく指示の仕分け先の出荷容器７に収容されたことを、監視センサー２３・２３からの検出情報に基づいて確認する度に、行われる。
このようにして、端末装置２０が出荷容器７内に収容されたと認識する物品４の全体（端末装置２０の認識内容）が、その出荷容器７に割り当てられたオーダーの内容と一致する場合、端末装置２０は、その出荷容器７の出荷ライン１０への搬出を許可する。一方、端末装置２０の認識内容と、その出荷容器７に割り当てられたオーダーの内容とが一致しない場合、端末装置２０は、その出荷容器７の出荷ライン１０への搬出を禁止し、作業者３０やホストコンピュータ１３に、収納間違いの発生を警告する。この警告の実施も、作業者３０に対する警告の場合は、前記警告ブザー２４や表示ランプ２２・２２を利用するものとする。
【００６７】
表示モニタ２９は、端末装置２０の画像出力装置である。
この表示モニタ２９には、例えば、端末装置２０で実行している処理内容が、画像出力表示されるものである。具体的には、例えば、搬送容器５に割り当てられているオーダーの内容の一覧や、出荷容器７に割り当てられるオーダーの内容の一覧が、表示される。また、物品４の仕分けに伴って変化する搬送容器５や出荷容器７の中身、つまり、現在時点で搬送容器５に収容されている物品４の一覧や、現在時点で出荷容器７に収容されている物品４の一覧を、画像出力表示させるようにしてもよい。
あるいは、各物品４の仕分け先となる出荷容器７を指示する画像出力表示を行わせて、前記指示手段としても利用できる。さらに、収納間違いが発生した場合に、該当する出荷容器７や、間違えて収容された物品４を指示する情報を、画像出力表示させるようにして、前記警告手段としても利用できる。
【図面の簡単な説明】
【００６８】
【図１】ピッキングシステムの適用された物流拠点の構成を示す図である。
【図２】仕分け部の構成を示す横断面図である。
【図３】仕分け部の構成を示す平面図である。
【図４】搬送容器に係る仕分け部の構成を示す平面図である。
【図５】出荷容器に係る仕分け部の構成を示す平面図である。
【符号の説明】
【００６９】
２    ピッキングシステム
３Ａ１・・・、３Ｂ１・・・    保管部
４    物品
５    搬送容器
６Ａ・６Ｂ    ピッキングライン（搬送容器搬送手段）
７    出荷容器
８    仕分け部
９    合流ライン（搬送容器搬送手段）
１０    出荷ライン（出荷容器搬送手段）
２２    表示ランプ（指示手段）
２４    警告ブザー（警告手段）
２５    搬送側仕分けライン（搬送容器搬送手段）
２７    出荷側仕分けライン（出荷容器搬送手段）
２０    端末装置（制御手段・物品検出手段）
【図１】
2007153490.tif 000003
【図２】
2007153490.tif 000004
【図３】
2007153490.tif 000005
【図４】
2007153490.tif 000006
【図５】
2007153490.tif 000007